(57)【要約】【課題】将来開発される車載無線機を含め、他種類存在する大きさの異なる車載無線機に対応するもので、架台をいちいち交換する必要がなく、これら複数種類の車載無線機の何れであっても１種類の架台によって車両に簡易に脱着できる車載無線機用架台を提供する。【解決手段】本発明は、車両内部の所定の箇所に車載無線機を固定するための車載無線機用架台であって、当該架台は、対向するように組み合わせて使用する同一構造の２個の架台基盤と、架台基盤の左右両側において前後方向および上下方向にスライド調整可能に取り付けられる２個のサイドバーにより構成され、２個の架台基盤は、車載無線機の横幅員に対応した長さに伸縮調整可能な横幅調整用スライド孔を備えている。また、サイドバーの一端には、車載無線機の操作パネル側前部または放熱部側後部をネジのねじ込みにより支持固定するための支持折曲片部が設けられている。【選択図】図３
2010143403.tif 000002
【特許請求の範囲】
【請求項１】
車両内部の所定の箇所に車載無線機を固定するための車載無線機用架台であって、当該架台は、対向するように組み合わせて使用する同一構造の２個の架台基盤と、架台基盤の左右両側において前後方向および上下方向にスライド調整可能に取り付けられる２個のサイドバーにより構成され、２個の架台基盤は、車載無線機の横幅員に対応した長さに伸縮調整可能な横幅調整用スライド孔を備えていることを特徴とする車載無線機用架台。
【請求項２】
架台基盤の横幅調整用スライド孔の位置に対応して、２個の架台基盤の組み合わせ時における段差を解消するためのスペーサを備えている請求項１に記載の車載無線機用架台。
【請求項３】
サイドバーの一端には、車載無線機の操作パネル側前部または放熱部側後部をネジのねじ込みにより支持固定するための支持折曲片部が設けられている請求項１または２に記載の車載無線機用架台。
【請求項４】
車両内部の所定の箇所に車載無線機を固定するための車載無線機用架台であって、当該架台は、車載無線機の対角線上に位置している対向する角部を支持するための一対のコーナー保持部材と、両コーナー保持部材を前後左右に相対的にずらした位置で連結する連繋用スライドバー部材を備えていることを特徴とする車載無線機用架台。
【請求項５】
コーナー保持部材は、底面部と、該底面部のコーナーを挟む２辺から立設した起立片部から成る下当部材と、下当部材の底面部よりも面積の小さい上面部と、該上面部のコーナーを挟む２辺から垂下した垂下片部から成る押さえ部材により構成されている請求項４に記載の車載無線機用架台。
【請求項６】
一方側のコーナー保持部材における下当部材の底面部には、複数の縦スリット部が対角線方向に沿って並設され、連繋用スライドバー部材の中央長手方向に形成された固定位置調整用スライド孔をこれらの縦スリット部のいずれかに合致させてネジ止めにより固定可能としている請求項４または５に記載の車載無線機用架台。
【請求項７】
複数の縦スリット部は、中央部分で横スリット部を介して連通している請求項６に記載の車載無線機用架台。
【発明の詳細な説明】
【技術分野】
【０００１】
本発明は、後部に放熱部を備えている偏平筐体構造の車載用ＶＨＦ無線機等を、自動車等の車両内部の適当な箇所である、例えば、ダッシュボードのグローブボックス内等に固定するための車載無線機用架台に関するものである。
【背景技術】
【０００２】
従来における車載無線機用架台としては、例えば、特許文献１に開示されているように、架台の平板四隅に車両への取付穴と、平板のほぼ周辺に沿って無線機を載置する折曲げ部と、平板の左右の後部と前部にそれぞれ折曲げ部を設け、後部折曲げ部の先端近辺に設けたＬ形スライド板を、無線機の放熱フィンガイド溝に嵌めて弾性保持させると共に、前部折曲げ部のねじ穴をねじ止めして無線機の装着を行うものがある。
【特許文献１】実開平７−３６４７８号公報
【発明の開示】
【発明が解決しようとする課題】
【０００３】
しかしながら、特許文献１に開示されている車載無線機用架台は、架台自体が平板による一枚板構成であることから、大きさの異なる多種類の車載無線機に対応することが不可能である。
【０００４】
すなわち、特許文献１に開示されている車載無線機用架台においては、大きさの異なる他種類の車載無線機毎にそれぞれ固有の平板架台を作成することが必要となるため、当該架台を何種類も用意しなくてはならないのである。
【０００５】
また、車載無線機が故障した際や、老巧更新等により車載無線機の交換を行う場合、車載無線機が別機種になることが多いことから、車載無線機用架台も交換しなければならないという問題点を有していた。
【０００６】
そこで、本発明は如上のような従来存した諸事情に鑑み創出されたもので、将来開発される車載無線機を含め、他種類存在する大きさの異なる車載無線機に対応するもので、架台をいちいち交換する必要がなく、これら複数種類の車載無線機の何れであっても１種類の架台によって車両に簡易に脱着できる車載無線機用架台を提供することを目的とする。
【課題を解決するための手段】
【０００７】
本発明は、車両内部の所定の箇所に車載無線機を固定するための車載無線機用架台であって、当該架台は、対向するように組み合わせて使用する同一構造の２個の架台基盤と、架台基盤の左右両側において前後方向および上下方向にスライド調整可能に取り付けられる２個のサイドバーにより構成され、２個の架台基盤は、車載無線機の横幅員に対応した長さに伸縮調整可能な横幅調整用スライド孔を備えていることで、上述した課題を解決した。
【０００８】
また、架台基盤の横幅調整用スライド孔の位置に対応して、２個の架台基盤の組み合わせ時における段差を解消するためのスペーサを備えていることで、同じく上述した課題を解決した。
【０００９】
さらに、サイドバーの一端には、車載無線機の操作パネル側前部または放熱部側後部をネジのねじ込みにより支持固定するための支持折曲片部が設けられていることで、同じく上述した課題を解決した。
【００１０】
この他、本発明は、車両内部の所定の箇所に車載無線機を固定するための車載無線機用架台であって、当該架台は、車載無線機の対角線上に位置している対向する角部を支持するための一対のコーナー保持部材と、両コーナー保持部材を前後左右に相対的にずらした位置で連結する連繋用スライドバー部材を備えていることで、同じく上述した課題を解決した。
【００１１】
また、コーナー保持部材は、底面部と、該底面部のコーナーを挟む２辺から立設した起立片部から成る下当部材と、下当部材の底面部よりも面積の小さい上面部と、該上面部のコーナーを挟む２辺から垂下した垂下片部から成る押さえ部材により構成されていことで、同じく上述した課題を解決した。
【００１２】
さらに、一方側のコーナー保持部材における下当部材の底面部には、複数の縦スリット部が対角線方向に沿って並設され、連繋用スライドバー部材の中央長手方向に形成された固定位置調整用スライド孔をこれらの縦スリット部のいずれかに合致させてネジ止めにより固定可能としていることで、同じく上述した課題を解決した。
【００１３】
また、複数の縦スリット部は、中央部分で横スリット部を介して連通していることで、同じく上述した課題を解決した。
【発明の効果】
【００１４】
本発明は、車両内部の所定の箇所に車載無線機を固定するための車載無線機用架台であって、当該架台は、対向するように組み合わせて使用する同一構造の２個の架台基盤と、架台基盤の左右両側において前後方向および上下方向にスライド調整可能に取り付けられる２個のサイドバーにより構成され、２個の架台基盤は、横幅調整用スライド孔を備えていることから、車載無線機の横幅員に対応した長さに伸縮調整可能な構成となっている。
【００１５】
その為、この横幅調整用スライド孔を介して、車載無線機の横幅員に対応した長さに伸縮調整可能となることから、大きさの異なる複数種類の車載無線機の何れであっても、１種類の車載無線機用架台によって対応でき、車両に簡易に装備することができる。  
【００１６】
すなわち、本発明によれば、大きさの異なる他種類の車載無線機毎に、それぞれ固有の車載無線機用架台を何種類も用意する必要がなくなるのである。
【００１７】
また、車載無線機が故障した際や、老巧更新等により車載無線機の交換を行う場合において、車載無線機が別機種になった場合であっても、車載無線機用架台を交換する必要がなく、車載無線機用架台に対する車載無線機の脱着を容易に行うことができる。
【００１８】
さらに、架台基盤の横幅調整用スライド孔位置に対応して、２個の架台基盤の組み合わせ時における段差を解消するためのスペーサを備えていることから、車両内部の所定の箇所において、車載無線機を傾かせずに確実に固定することができる。
【００１９】
また、サイドバーの一端には、車載無線機の操作パネル側前部または放熱部側後部をネジのねじ込みにより支持固定するための支持折曲片部が設けられていることから、車両の移動中の振動により、車載無線機の移動、転落を未然に防止することができる。
【００２０】
この他、本発明は、車両内部の所定の箇所に車載無線機を固定するための車載無線機用架台であって、当該架台は、車載無線機の対角線上に位置している対向する角部を支持するための一対のコーナー保持部材と、両コーナー保持部材を前後左右に相対的にずらした位置で連結する連繋用スライドバー部材を備えていることから、車載無線機の大きさに対応して車載無線機用架台の対角線方向の幅員を所望の長さに調整できる。
【００２１】
その為、大きさの異なる複数種類の車載無線機の何れであっても、１種類の車載無線機用架台によって車両に簡易に装備することができる。
【００２２】
しかも、車載無線機用架台に対する車載無線機の脱着も、容易に行うことができる。
【００２３】
また、コーナー保持部材は、底面部と、該底面部のコーナーを挟む２辺から立設した起立片部から成る下当部材と、下当部材の底面部よりも面積の小さい上面部と、該上面部のコーナーを挟む２辺から垂下した垂下片部から成る押さえ部材により構成されていることから、この押さえ部材を介して、車載無線機用架台に対する車載無線機の脱着を、容易に行うことができる。
【００２４】
さらに、一方側のコーナー保持部材における下当部材の底面部には、複数の縦スリット部が対角線方向に沿って並設され、連繋用スライドバー部材の中央長手方向に形成された固定位置調整用スライド孔をこれらの縦スリット部のいずれかに合致させてからネジ止め固定可能としていることから、両コーナー保持部材の前後左右の相対位置の変更が可能となり、車載無線機の大きさに対応して、車載無線機用架台の対角線方向の幅員を所望の長さに容易に調整することができる。
【００２５】
また、複数の縦スリット部は、その中央部分で横スリット部を介して連通していることから、両コーナー保持部材の前後左右の相対位置を、容易に変更することができる。
【発明を実施するための最良の形態】
【００２６】
以下に、本発明を実施するための最良の形態を、図面を参照して詳細に説明する。
【００２７】
本発明に係る車載無線機用架台は、図１に示すように、後部に放熱部を備えている偏平筐体構造の、例えば、ＶＨＦ等の車載用無線機Ｐを、自動車等の車両内部の適当な箇所である、例えば、ダッシュボードのグローブボックスＧ等の内部に、固定用ブラケット（受台）Ｑを介して固定されるものである。
【００２８】
車載無線機用架台は、図２に示すように、互いに１８０°回転させて対向するように組み合わせて使用する、略Ｌ字型に形成された同一構造による２個の架台基盤１ａ，１ｂと、架台基盤１ａ，１ｂの左右両側において前後方向および上下方向にスライド調整可能に取り付けられる２個のサイドバー２ａ，２ｂにより構成されている。
【００２９】
また、車載無線機用架台は、２個の架台基盤１ａ，１ｂの組み合わせ時における段差を解消するための、２個のスペーサ３ａ，３ｂを備えている。
【００３０】
架台基盤１ａ，１ｂは、矩形平板状の底面部４の一方の片側をＬ字型に折り曲げ、その折り曲げ先端部分の両端には、サイドバー２ａ，２ｂ支持用の起立片部５を突設している。また、平板の他方の片側から折り曲げ位置の手前にかけては、２つの長尺スリット状の横幅調整用スライド孔６が、離間した状態に配置されている。
【００３１】
そして、これら同一構造による２つの架台基盤１ａ，１ｂの一方を、１８０°回転させて、他方の架台基盤１ａ，１ｂに対向するように組み合わせる。すなわち、各架台基盤１ａ，１ｂの底面部４同士を重ねて、各横幅調整用スライド孔６を互いに合致させておき、車載無線機Ｐの横幅員に対応する長さにスライド調整（伸縮調整）してから、上方からネジ２２を通して反対側からナット２３で締め付けることで、車載無線機Ｐの横幅員に対応した長さを保持するのである。
【００３２】
スペーサ３ａ，３ｂの厚みは、架台基盤１ａ，１ｂの底面部４の厚みと同じであり、その片側からはネジ２２挿通用のスリット溝１０が形成されている。２個の架台基盤１ａ，１ｂの組み合わせ時において、各架台基盤１ａ，１ｂの底面部４同士が左右拡開方向にスライドして、互いに重ね合わされていない状態の一方の底面部４の下面に、このスペーサ３ａ，３ｂを宛がう。
【００３３】
そして、スリット溝１０と横幅調整用スライド孔６を合致させておき、上方からネジ２２を通して反対側からナット２３で締め付けることで、各架台基盤１ａ，１ｂの下面同士の段差を解消するようにしている。
【００３４】
起立片部５の内側中央には、縦方向に沿って長尺となったサイドバー上下調整用スライド孔７が形成されている。サイドバー２ａ，２ｂは長尺な帯板状に形成され、その内側には長手方向に沿って固定位置調整用スライド孔８が２本直列となって形成されている。
【００３５】
このサイドバー２ａ，２ｂは、当該サイドバー２ａ，２ｂの各固定位置調整用スライド孔８を、起立片部５のサイドバー上下調整用スライド孔７の任意の位置に合致させ、両孔にネジ２２を通して反対側からナット２３で締め付けることで、当該サイドバー２ａ，２ｂは起立片部５に任意の高さで固定される。
【００３６】
また、図２・図３に示すように、サイドバー２ａ，２ｂの一端には、車載無線機Ｐの操作パネル側前部を、ネジ２２のねじ込みにより支持固定するためのＬ字型に折れ曲げられたネジ孔２７付きの支持折曲片部９が設けられている。
【００３７】
さらに、このサイドバー２ａ，２ｂの固定位置調整用スライド孔８は、車載無線機Ｐをネジ２２によって左右で固定するためのネジ挿通孔として兼用可能にしてある。
【００３８】
すなわち、図３・図４に示すように、車載無線機Ｐの左右に形成されている一対のネジ孔２６に対応して、サイドバー２ａ，２ｂの高さをサイドバー上下調整用スライド孔７によって調整しておき、ネジ２２を固定位置調整用スライド孔８に通して車載無線機Ｐのネジ孔２６にねじ込むようにしている。
【００３９】
次に、以上のように構成された本発明の最良の形態について、使用の一例を説明する。
【００４０】
先ず、図２に示すように、同一構造による２つの架台基盤１ａ，１ｂの一方を１８０°回転させて、他方の架台基盤１ａ，１ｂに対向するように組み合わせる。
【００４１】
このとき、図３に示すように、各架台基盤１ａ，１ｂの底面部４同士を重ねて、各横幅調整用スライド孔６を互いに合致させてから、互いに重ね合わされていない状態の一方の底面部４下面にスペーサ３ａ，３ｂを宛がっておき、底面部４同士が互いに重ね合わさった部分と、スペーサ３ａ，３ｂが宛がわれた部分とのそれぞれに上方からネジ２２を通し、下方に突き出た各ネジ２２の先端にナット２３を若干緩めた状態で装着しておく。
【００４２】
これと同時に、サイドバー２ａ，２ｂの各固定位置調整用スライド孔８を、起立片部５のサイドバー上下調整用スライド孔７の所定高さ位置に合致させ、両孔にネジ２２を通して反対側からナット２３を若干緩めた状態で装着しておく。
【００４３】
次いで、図３に示すように、車載無線機Ｐの横幅員に対応する長さとなるように底面部４同士を互いにスライドさせ、相対向する起立片部５の横幅間隔を予め調整しておいてからネジ２２とナット２３の締め付けを強固にする。
【００４４】
また、車載無線機Ｐの左右に形成されているネジ孔２６に対応して、サイドバー２ａ，２ｂの高さをサイドバー上下調整用スライド孔７によって調整し、同時に車載無線機Ｐの奥行きの長さに対応して、固定位置調整用スライド孔８に沿ってサイドバー２ａ，２ｂを前後にスライド調整しておいてからネジ２２とナット２３の締め付けを強固にする。
【００４５】
そして、図４に示すように、各架台基盤１ａ，１ｂの底面部４同士の上に車載無線機Ｐが載せられ、サイドバー２ａ，２ｂ一端の支持折曲片部９によって操作パネル側前部を支持させておき、当該支持折曲片部９のネジ孔２７から操作パネル側前部のネジ孔２８にネジ２２をねじ込み固定する。
【００４６】
これと同時に、サイドバー２ａ，２ｂの各固定位置調整用スライド孔８にそれぞれネジ２２を通し、車載無線機Ｐの左右にける一対のネジ孔２６にネジ２２をねじ込むことによって、車載無線機Ｐの左右を各架台基盤１ａ，１ｂに固定する。
【００４７】
このようにして車載無線機Ｐが組み付けられた車載無線機用架台は、図１に示すように、自動車等の車両内部の適当な箇所である、例えば、ダッシュボードのグローブボックスＧ等の内部に、例えば、固定用ブラケット（受台）Ｑを介して固定される。このとき、車載無線機を固定用ブラケット（受台）に直接固定していないため、当該車載無線機の着脱も容易に行うことができる。
【００４８】
尚、図５・図６に示すように、車載無線機Ｐや取り付ける機器の種別により、操作パネル側前部または放熱部側後部にネジ孔が存在せず、車載無線機Ｐの側面にスリット３０を有する場合は、２個の補助金具３１を介して、車載無線機Ｐを車載無線機用架台に取り付けることができる。
【００４９】
２個の補助金具３１は、図５に示すように、長方形状の垂設板と、垂設板の上部に設けた内向きの折曲片により形成されている。この垂設板には、２本のスライド孔３２を、所定の間隔を開けて立設した状態に設けている。
【００５０】
そして、２個の補助金具３１を、車載無線機Ｐの側面に配置してから、図５・図６に示すように、補助金具３１のスライド孔３２を、サイドバー２ａ，２ｂの固定位置調整用スライド孔８に合わせ、ネジ３３とナット３４により補助金具３１をサイドバー２ａ，２ｂに固定する。これと同時に、補助金具３１のスライド孔３２からネジ２２を貫装し、車載無線機Ｐのスリット３０に捩じ込むことで、車載無線機Ｐを車載無線機用架台に取り付けるのである。
【００５１】
このように、所定の補助金具３１等を適宜利用することで、あらゆる形状の車載無線機Ｐで合っても、車載無線機用架台に固定できるのである。
【００５２】
この他、図７乃至図１０には、本発明に係る車載無線機用架台の他の形態が示されている。
【００５３】
この車載無線機用架台は、車載無線機Ｐの対角線上に位置している対向する角部を支持するための一対のコーナー保持部材１１と、両コーナー保持部材１１を前後左右に相対的にずらした位置で連結する連繋用スライドバー部材１２を備えている。
【００５４】
そして、この連繋用スライドバー部材１２によって連繋された一対のコーナー保持部材１１は、前記グローブボックスＧ等の内部に、例えば、固定用ブラケット（受台）Ｑを介して固定されるものである。
【００５５】
コーナー保持部材１１は、図７・図８に示すように、矩形平板状の底面部４と、該底面部４のコーナーを挟む２辺から立設したＬ字枠状の起立片部５から成る下当部材１３と、下当部材１３の底面部４よりも面積の小さい矩形平板状の上面部１４と、該上面部１４のコーナーを挟む２辺から垂下したＬ字枠状の垂下片部１５から成る押さえ部材１６により構成されている。
【００５６】
そして、図９・図１０に示すように、車載無線機Ｐの対角線位置の角部下面を前記下当部材１３によって支持してから、当該車載無線機Ｐの角部上面を上方から押さえ付けるように、起立片部５のコーナー上方に前記押さえ部材１６が被せられる。
【００５７】
押さえ部材１６における互いに隣接する垂下片部１５のそれぞれには長尺な縦溝部１７が設けられており、これに対応して、互いに隣接する起立片部５のそれぞれに長尺なスリット部１８が形成されている。
【００５８】
そして、下当部材１３の起立片部５のコーナー上方に押さえ部材１６が被せられ、縦溝部１７とスリット部１８を合致させた状態で外方からネジ２２を通し、内側からナット２３で締め付けることで、押さえ部材１６が下当部材１３に固定される。
【００５９】
また、図７に示すように、一方側のコーナー保持部材１１における下当部材１３の底面部４には、３本の縦スリット部１９が対角線方向に沿って並設されており、これらの縦スリット部１９は、その中央部分で横スリット部２０を介して連通されている。
【００６０】
他方側のコーナー保持部材１１における下当部材１３の底面部４には、起立片部５と対向する角部にネジ孔２４が設けられている（他方側のコーナー保持部材１１には、縦スリット部１９および横スリット部２０が設けられていない）。
【００６１】
また、各コーナー保持部材１１における下当部材１３の起立片部５内側には、内方に湾曲した帯板状の押さえバネ２１が、水平面上で互いに逆向きとなって付設されている。この押さえバネ２１により、車載無線機Ｐは堅固に固定される。
【００６２】
連繋用スライドバー部材１２は、その内側に長手方向に沿って固定位置調整用スライド孔８が設けられ、該固定位置調整用スライド孔８を介してその両端側にネジ孔２５が設けられている。
【００６３】
そして、図６に示すように、連繋用スライドバー部材１２の固定位置調整用スライド孔８を、下当部材の底面部４にある３本の縦スリット部１９のいずれかに合致させてからネジ２２を通してナット２３で締め付けることにより、両コーナー保持部材１１を前後左右に相対的にずらした位置で連結されるようにしている。
【００６４】
このとき、図７に示すように、固定位置調整用スライド孔８の両端側のネジ孔２５のうちの一方側のネジ孔２５は、他方側のコーナー保持部材１１における下当部材の底面部４にあるネジ孔２４に合致して、ネジ２２とナット２３でしっかりと締結固定される。
【００６５】
一方、固定位置調整用スライド孔８の両端側のネジ孔２５のうち他方側のネジ孔２５は、前記縦スリット部１９に合致された状態でネジ２２が通され、下側からナット２３で締結固定される。
【００６６】
使用に際しては、車載無線機Ｐの大きさに応じて、一方側のコーナー保持部材１１における下当部材１３の底面部４にある１本の縦スリット部１９から他の２本の縦スリット１９のいずれかに連繋用スライドバー部材１２の取付位置を変更させる。
【００６７】
このときは、固定位置調整用スライド孔８から縦スリット部１９に通してあるネジ２２および固定位置調整用スライド孔８位置よりも一端側にあるネジ孔２５から縦スリット部１９に通されているネジ２２を付けたままの状態で若干緩めておき、横スリット部２０を介して２本の縦スリット部１９のいずれかにスライドさせれば良い。尚、縦スリット部１９は３本に限定されるものではない。
【００６８】
この他、本発明は、前記実施の形態に限定されるものではなく、本発明の目的を達成できる範囲での改良、変形等は、本発明に全て包含されるものである。
【産業上の利用可能性】
【００６９】
本発明に係る車載無線機用架台は、車載用ＶＨＦ等の無線機Ｐを、自動車等の車両内部のダッシュボードのグローブボックスＧ内等に固定するために使用する以外に、種々の設置場所において、無線機Ｐを着脱可能とした車載無線機用架台として、幅広く利用することができる。
【図面の簡単な説明】
【００７０】
【図１】車載用無線機を取り付けている車載無線機用架台の使用状態を示す斜視図である。
【図２】車載無線機用架台の構成を示す分解斜視図である。
【図３】車載無線機用架台に車載用無線機を設置する状態を示す分解斜視図である。
【図４】車載無線機用架台に車載用無線機を設置した状態を示す斜視図である。
【図５】車載無線機用架台に補助金具を介して車載用無線機を設置する状態を示す分解斜視図である。
【図６】車載無線機用架台に補助金具を介して車載用無線機を設置した状態を示す分解斜視図である。
【図７】車載無線機用架台の他の構成例を示す分解斜視図である。
【図８】車載無線機用架台の他の構成例を示す斜視図である。
【図９】車載無線機用架台の他の構成例に、車載用無線機を設置する状態を示す分解斜視図である。
【図１０】車載無線機用架台の他の構成例に、車載用無線機を設置した状態を示す斜視図である。
【符号の説明】
【００７１】
Ｐ…車載用無線機
Ｑ…固定用ブラケット（受台）
Ｇ…グローブボックス
１ａ…架台基盤
１ｂ…架台基盤  
２ａ…サイドバー
２ｂ…サイドバー
３ａ…スペーサ
３ｂ…スペーサ
４…底面部
５…起立片部
６…横幅調整用スライド孔
７…サイドバー上下調整用スライド孔
８…固定位置調整用スライド孔
９…支持折曲片部
１０…スリット溝
１１…コーナー保持部材
１２…連繋用スライドバー部材
１３…下当部材
１４…上面部
１５…垂下片部
１６…押さえ部材
１７…縦溝部
１８…スリット部
１９…縦スリット部
２０…横スリット部
２１…押さえバネ
２２…ネジ
２３…ナット
２４…ネジ孔
２５…ネジ孔
２６…ネジ孔
２７…ネジ孔
２８…ネジ孔
３０…スリット
３１…補助金具
３２…スライド孔
３３…ネジ
３４…ナット
【図１】
2010143403.tif 000003
【図２】
2010143403.tif 000004
【図３】
2010143403.tif 000005
【図４】
2010143403.tif 000006
【図５】
2010143403.tif 000007
【図６】
2010143403.tif 000008
【図７】
2010143403.tif 000009
【図８】
2010143403.tif 000010
【図９】
2010143403.tif 000011
【図１０】
2010143403.tif 000012